(57)【要約】【課題】簡単に記録紙ロールの交換作業を行うことを課題とする。【解決手段】一端が揺動自在に支持され他端に前記印字ヘッド５を備え、揺動して前記印字ヘッド５をヘッド印字時位置からヘッド退避位置まで退避させるヘッドアーム７と、一端が揺動自在に支持され、他端に前記ガイドローラ３を支持され前記ガイドローラ３をガイドローラ印字時位置からガイドローラ退避位置まで退避させるガイドローラアーム８と、を有することを特徴とする。【選択図】      図１
2007210264.tif 000002
【特許請求の範囲】
【請求項１】
ロールから繰り出した記録紙をガイドローラを介してプラテンローラと印字ヘッドへ導き、前記印字ヘッドにより所定情報を印字するプリンタにおいて、
一端が揺動自在に支持され他端に前記印字ヘッドを備え、揺動して前記印字ヘッドをヘッド印字時位置からヘッド退避位置まで退避させるヘッドアームと、
一端が揺動自在に支持され、他端に前記ガイドローラを支持され前記ガイドローラをガイドローラ印字時位置からガイドローラ退避位置まで退避させるガイドローラアームと、
を有することを特徴とするプリンタ。
【請求項２】
前記ヘッドアームが所定位置まで揺動すると、前記ヘッドアームの揺動に連動して、前記ガイドローラアームを揺動させる連動手段を備えたことを特徴とする請求項１記載のプリンタ。
【請求項３】
前記ガイドローラアームは、所定位置まで揺動すると、前記ガイドローラアームの自重により前記ガイドローラ退避位置まで揺動可能に形成されることを特徴とする請求項１または請求項２記載のプリンタ。
【請求項４】
前記連動手段は揺動自在な揺動部材であって、
前記ヘッドアームに係合する前記ヘッドアーム係合部と、
前記ガイドローラアームに係合する前記ガイドローラアーム係合部と、
を有し、所定位置まで前記ヘッドアームが揺動すると、前記ヘッドアーム係合部が前記ヘッドアームに係合するとともに、前記ガイドローラアーム係合部が前記ガイドローラアームに係合し、前記ガイドローラアームが前記ヘッドアームに連動して揺動することを特徴とする請求項２または請求項３記載のプリンタ。
【請求項５】
前記印字ヘッドを前記ヘッド退避位置へ揺動させるように前記ヘッドアームを付勢する付勢手段と、
前記印字ヘッドを前記ヘッド印字時位置に前記ヘッドアームをロックするロック手段と、
を有し、前記ロック手段によるロックを解除することにより前記付勢手段の付勢力で前記ヘッドアームを揺動させて、前記ヘッドを前記ヘッド退避位置へ退避させることを特徴とする請求項１ないし４記載のプリンタ。
【発明の詳細な説明】
【技術分野】
【０００１】
本発明は印字ヘッドを用いて所定情報を印字するプリンタに係り、特に記録紙ロールから繰り出された記録紙をガイドするガイドローラを持つものに関する。
【背景技術】
【０００２】
ロール状に巻回された記録紙（以下、記録紙ロールとする）を使用するサーマルプリンタでは、記録紙ロールから繰り出された記録紙をインクリボンから離間させた状態で印字ヘッドとプラテンローラとの間にガイドするためのガイドローラが備えられている。このガイドローラは、印字ヘッドを支持するブラケットに着脱自在に取り付けられていた。
【０００３】
しかしながら、このようにガイドローラがブラケットに取り付けられた構成のプリンタでは、インクリボンを交換する際にガイドローラが邪魔になり、交換作業に手間がかかるという問題があった。
【０００４】
そこで、特許文献１では、ガイドローラをブラケットから簡単に着脱できるようにしたプリンタが提案されている。
【０００５】
【特許文献１】特開２００１−１０５６８３号公報
【発明の開示】
【発明が解決しようとする課題】
【０００６】
しかしながら、特許文献１のように、ガイドローラが印字ヘッドを支持するブラケットに取り付けられた構成のプリンタでは、印字ヘッド部の構成が複雑になるという欠点がある。また、ガイドローラの設置位置が限定されてしまう、記録紙ロールを交換する際ブラケットが邪魔になるなどといった欠点もある。
【０００７】
一方、ガイドローラをブラケットとは別に設置すると、記録紙ロールを交換する際にガイドローラが邪魔になるという欠点がある。
【０００８】
本発明はこのような事情に鑑みてなされたもので、簡単に記録紙ロールの交換作業を行うことができるプリンタを提供することを目的とする。
【課題を解決するための手段】
【０００９】
請求項１に係る発明は、前記目的を達成するために、記録紙ロールから繰り出した記録紙をガイドローラを介してプラテンローラと印字ヘッドへ導き、前記印字ヘッドにより所定情報を印字するプリンタにおいて、一端が揺動自在に支持され他端に前記印字ヘッドを備え、揺動して前記印字ヘッドをヘッド印字時位置からヘッド退避位置まで退避させるヘッドアームと、一端が揺動自在に支持され、他端に前記ガイドローラを支持され前記ガイドローラをガイドローラ印字時位置からガイドローラ退避位置まで退避させるガイドローラアームと、を有することを特徴とする。
【００１０】
請求項１に係る発明によれば、ヘッドアームが揺動して印字ヘッドをヘッド印字位置からヘッド退避位置までに退避させ、ガイドローラアームが揺動してガイドローラをガイドローラ印字位置からガイドローラ退避位置まで退避させることができるため、記録紙ロールとインクリボンを装着する際に、ガイドローラが妨げになることがない。
【００１１】
請求項２に係る発明は、前記目的を達成するために、前記ヘッドアームが所定位置まで揺動すると、前記ヘッドアームの揺動に連動して、前記ガイドローラアームを揺動させる連動手段を備えたことを特徴とする。
【００１２】
請求項２に係る発明によれば、ヘッドアームが所定位置まで揺動すると、連動してガイドローラアームを揺動する連動手段を備えたため、ヘッドアームを揺動させるだけでガイドローラも揺動させることができる。これにより、ガイドローラが妨げにならずに、より簡単に装着することが可能となる。
【００１３】
請求項３に係る発明は、前記目的を達成するために、前記ガイドローラアームは、所定位置まで揺動すると前記ガイドローラアームの自重により前記ガイドローラ退避位置まで揺動可能に形成されることを特徴とする。
【００１４】
請求項３に係る発明によれば、ガイドローラアームが所定位置まで揺動するとガイドローラアームが自重でガイドローラ退避位置まで揺動する。そのため、ガイドローラアーム自体がガイドローラ退避位置へと揺動するために、部品数が少なく、ガイドローラを記録紙に妨げにならない位置へ退避することが可能となる。
【００１５】
請求項４に係る発明は、前記目的を達成するために、前記連動手段は揺動自在な揺動部材であって、前記ヘッドアームに係合するヘッドアーム係合部と、前記ガイドローラアームに係合するガイドローラアーム係合部と、を有し、所定位置まで前記ヘッドアームが揺動すると、前記ヘッドアーム係合部が前記ヘッドアームに係合するとともに、前記ガイドローラアーム係合部が前記ガイドローラアームに係合し、前記ガイドローラアームが前記ヘッドアームに連動して揺動することを特徴とする。
【００１６】
請求項４に係る発明によれば、ヘッドアームが所定位置まで揺動すると、連動手段のヘッドアーム係合部がヘッドアームに係合するとともに、ガイドローラアーム係合部がガイドローラアームに係合し、ガイドローラアームがヘッドアームに連動して揺動する。そのため、揺動部材のみで連動を可能としている。
【００１７】
請求項５に係る発明は、前記目的を達成するために、前記印字ヘッドを前記ヘッド退避位置へ退避させる方向に前記ヘッドアームを付勢する付勢手段と、前記印字ヘッドが前記ヘッド印字時位置に固定されるように前記ヘッドアームをロックするロック手段と、を有し、前記ロック手段によるロックを解除することにより前記付勢手段の付勢力で前記ヘッドアームを揺動させて、前記ヘッドを前記ヘッド退避位置へ退避させることを特徴とする。
【００１８】
請求項５に係る発明によれば、ロック手段によるロックを解除すると、付勢手段に付勢されて、ヘッドアームが揺動する。
【発明の効果】
【００１９】
本発明に係るプリンタによれば、記録紙ロールの装着を妨げることがない。
【発明を実施するための最良の形態】
【００２０】
以下、添付図面に従って本発明に係るプリンタを実施するための最良の形態について詳説する。
【００２１】
図１はプリンタの概略側面図である。同図に示すように、本実施の形態におけるプリンタ１は、記録紙ロール２から繰り出した記録紙２Ａをガイドローラ３を介してプラテンローラ４と印字ヘッド５との間に導き、印字ヘッド５によりインクリボン６のインクを記録紙２Ａに熱転写して所定の情報を印字するプリンタ１であって、揺動して印字ヘッド５を図１に示すヘッド印字時位置から図５に示す所定のヘッド退避位置に退避させるヘッドアーム７と、揺動してガイドローラ３をガイドローラ印字時位置から所定のガイドローラ退避位置に退避させるガイドローラアーム８と、ヘッドアーム７の揺動に連動させてガイドローラアーム８を揺動させる連動部材９を備えている。
【００２２】
プリンタ１の筐体１０は、カバー２６と筐体本体２７で構成されている。カバー２６は、図示されていないヒンジにより筐体本体２７に開閉自在に取り付けられている。
【００２３】
記録紙ロール２は、筐体本体１０に備えられた図示しない軸受に巻芯が軸支されて、回転自在に保持されており、この記録紙ロール２から繰り出された記録紙２Ａが、ガイドローラを介してプラテンローラ４と印字ヘッド５との間に導かれる。
【００２４】
印字ヘッド５は、ブラケット１１に取り付けられており、ブラケット１１には、従動軸１２と、図示しないモータに駆動されて回転する回転駆動軸１３が設けられている。従動軸１２には、未使用のインクリボン６が巻回された供給ボビンが装着され、回転駆動軸１３には、使用済みのインクリボン６を巻き取るための巻き取りボビンが装着される。また、このブラケット１１には、図示しないリボンガイドローラが回転自在に設けられており、このリボンガイドローラを介して供給ボビンから繰り出されたインクリボン６が印字ヘッド５に導かれる。
【００２５】
印字ヘッド５をヘッド印字時位置から所定のヘッド退避位置に退避させるヘッドアーム７は、先端部にブラケット１１が取り付けられており、基端部に軸受け部７Ａが形成されている。そして、この軸受け部７Ａが筐体本体２７に形成された軸２０に軸支されて所定の角度揺動自在に支持されている。すなわち、印字ヘッド５がヘッド印字時位置に位置する位置（図１参照）から、印字ヘッドがヘッド退避位置に位置する位置（図５参照）までの間を揺動自在に支持されている。
【００２６】
また、このヘッドアーム７には、印字ヘッド５がヘッド印字時位置からヘッド退避位置に向かうように付勢する付勢手段１４と、印字ヘッド５がヘッド印字時位置に位置した状態で停止するようにロックするロック手段１５とを備えている。
【００２７】
付勢手段１４は、主としてバネ１６とスライド部材１８とで構成されている。スライド部材１８は、ヘッドアーム７に形成されたスライドレール１９にスライド自在に支持されており、一端にバネ係合部１８Ａ、他端にストッパ係合部１８Ｂが突出して形成されている。バネ係合部１８Ａには、バネ１６の一端が固定係止されており、また、ストッパ係合部１８Ｂには、後述する連動部材９の長片９Ｂに係合されている。バネ１６は、前記のように、一端がスライド部材１８に設けられたバネ係合部１８Ａに固定係止されており、他端がヘッドアーム７に形成されたバネ留め部１７に固定係止されている。
【００２８】
一方、ロック手段１５は、筐体本体２７内部に設けられたフック２１と、ブラケット１１に形成されたロック係合部２２とで構成されており、フック２１がロック係合部２２に係合することによって、図１に示すように、印字ヘッド５がヘッド印字時位置に位置した状態でヘッドアーム７をロックする。
【００２９】
以上のように構成された付勢手段１４とロック手段１５の作用により、ヘッドアーム７は、フック２１を解除すると、バネ１６の付勢力で付勢されて、図中時計回りの方向に揺動する。そして、図２に示す所定のインクリボン交換位置で停止する。なお、このインクリボン交換位置は、インクリボンを交換しやすい位置に設定するものとし、機器ごとに適宜調整して設定するものとする。そして、その設定方法は、スライドレール１９の移動範囲やバネ定数等で適宜調整して設定するものとする。
【００３０】
ガイドローラ３を印字時位置から所定のガイドローラ退避位置に退避させるガイドローラアーム８は、先端部にガイドローラ３が回動自在に支持されており、基端部に形成された軸受け部８Ａが筐体本体２７に形成された軸２０に軸支されて、揺動自在に支持されている。このガイドローラアーム８は緩やかな弧を描くように形成されており、基端部に向かうほど幅広となって形成されている。そのため、ガイドローラアーム８が、後述する連動部材９のガイドローラアーム係合部２４に係合されて所定位置まで揺動すると、ガイドローラアーム８の自重で揺動してガイドローラ退避位置に退避する。
【００３１】
なお、ガイドローラ印字時位置は、記録紙ロール２から繰り出した記録紙２Ａが、ガイドローラ３によってインクリボン６と離間した状態で印字ヘッド５とプラテンローラ４との間に導かれるような位置に設定するものとし、リボンガイドローラや記録紙ロール２、プラテンローラ４等のレイアウトに応じて適宜設定するものとする。したがって、ガイドローラアーム８の長さもガイドローラ印字時位置等に応じて適宜設定するものとする。
【００３２】
また、ガイドローラアーム８は、所定位置まで揺動すると自重で揺動可能な形状であればよく、他の形状で形成してもよいものとする。
【００３３】
また、ガイドローラ退避位置は、記録紙ロール２の交換がしやすい位置に設定するものとし、記録紙ロール２の設置位置や印字ヘッド５の揺動範囲、印字時におけるガイドローラ３の位置（ガイドローラ印字時位置）等に応じて適宜設定するものとする。本実施の形態のプリンタ１では、ヘッド印字時位置、ガイドローラ印字時位置が共に記録紙ロール２の前方に設定されており、印字ヘッド５が揺動して記録紙ロール２の後方に退避することから、ガイドローラ３も記録紙ロール２の後方に退避するようにガイドローラ退避位置を設定している。
【００３４】
なお、ガイドローラ退避位置も記録紙ロール２の交換のしやすさを考慮して設定するものとし、記録紙ロール２に対する印字ヘッド５の印字時の位置（ヘッド印字時位置）、カバー２６の開閉方向、範囲等を考慮して適宜設定するものとする。
【００３５】
ヘッドアーム７とガイドローラアーム８を連動させる連動部材９は、短片９Ａと長片９Ｂ（ヘッドアーム係合部）とからなる略Ｌ字型形状の部材で構成されており、その短片９Ａと長片９Ｂの結合部分に形成された軸受け部９Ｃがヘッドアーム７に形成された軸３０に軸支されて、揺動自在に支持されている。この揺動部材９の短片９Ａの先端には、ガイドローラアーム８の下縁部に係合するガイドローラアーム係合部２４が突出して形成されている。
【００３６】
図３に示すように、ヘッドアーム７は、所定位置まで揺動させると、ヘッドアーム７に突出して設けられている連動部材係合部２５が、この揺動部材９の長片９Ｂに係合する。このため、更にヘッドアーム７を揺動させると、図４に示すように、揺動部材９がヘッドアーム７ともに揺動し、この結果、揺動部材９のガイドローラアーム係合部２４に係合したガイドローラアーム８がヘッドアーム７に連動して揺動する。
【００３７】
なお、図１に示すように、連動部材９は、印字ヘッド５がヘッド印字時位置に位置すると、ガイドローラアーム係合部２４が、筐体本体２６に形成された図示しない揺動規制部材に当接して揺動が規制されるように構成されている。これにより、印字ヘッド５がヘッド印字時位置に位置した後は、連動部材係合部２５を介してヘッドアーム７のバネ１６に付勢された場合であっても、連動部材９は、図中反時計回りの方向の揺動が規制され、一定位置（図１に示す位置）に保持される。
【００３８】
なお、ガイドローラアーム８がヘッドアーム７に連動して揺動を開始する位置（本実施の形態で図３に示す位置）は、各構成要素のレイアウト等に応じて適宜設定されるが、印字ヘッド５がインクリボン交換位置（図２参照）に達する前に設定すると、インクリボン６の交換がしにくくなることから、印字ヘッド５がインクリボン交換位置に達した後に連動して揺動を開始するように設定することが好ましい。
【００３９】
次に記録紙２とインクリボン６の交換装着動作について添付図面を参照し詳説する。
【００４０】
まず、印字時においてプリンタ１は、図１に示すように、フック２１がロック係合部２２に係合されて、ヘッドアーム７がロックされている。この状態において、印字ヘッド５はヘッド印字時位置に位置しており、ガイドローラ３はガイドローラ印字時位置に位置している。
【００４１】
図２に示すように、カバー２６を開閉し、フック２１を解除すると、スライド部材１８と係合されたバネ１６の付勢力によりヘッドアーム７が図中時計回りに揺動し、インクリボン交換位置で停止する。これにより、インクリボン６を交換することができる。
【００４２】
続いて、記録紙ロール２を装着するために、ブラケット１１を更に持ち上げると、図３のように、ヘッドアーム７が所定位置まで揺動した時点で連動部材９の長片９Ｂがヘッドアーム７に設けられている連動部材係合部２５に係合するとともに、ガイドローラアーム係合部２４がガイドローラアーム８に係合し、図４のように、ガイドローラアーム８がヘッドアーム７に連動して揺動する。
【００４３】
そして、図５のように、ヘッドアーム７がカバー２６側に退避する位置まで揺動させると、図６のように、所定位置でガイドローラアーム８は自重により揺動して下方に落下し、ガイドローラ退避位置に位置する。
【００４４】
このように、ガイドローラ３がカバー２６側のガイドローラ退避位置に退避することにより、記録紙ロール２の前方が大きく開放され、記録紙ロール２の装着を妨げることがなくなる。また、インクリボン６と記録紙ロール２の両方の交換を簡単に行うことが可能となる。
【００４５】
なお、上記実施の形態は、本発明の一例に過ぎず、上記実施の形態のものに限定されないことは言うまでもない。
【００４６】
例えば、図７のように、連動部材９を設けずとも、ガイドローラアーム８が所定位置まで達すれば自重によりカバー２６側に退避することは可能である。
図８のように、ガイドローラアーム８の基端部周辺に重り２３を付与することによって、自重によるカバー２６側への退避を加速させることも可能である。
【００４７】
図９のように、連動部材９の軸３０と筐体本体２７に設けたバネ留め部２８にバネ２９を固定係止することによってもガイドローラアーム８をカバー２６側への退避を加速させることも可能である。
【００４８】
また、軸２０にトーションバネを装着することによってもガイドローラアーム８をカバー２６側への退避を加速させることが可能である。
【００４９】
また、本実施の形態では、ヘッドアーム７は、フック２１を解除すると、バネ１６の付勢力で付勢されて、図中時計回りの方向に揺動し、図２のように所定のインクリボン交換位置で停止するが、フック２１を解除するとヘッドアーム７がバネ１６の付勢力によりインクリボン交換位置で停止せずにヘッド退避位置に位置されてもよい。
【図面の簡単な説明】
【００５０】
【図１】本発明に係る一実施形態を示す概略側面図である。
【図２】本発明に係る一実施形態を示す概略側面図である。
【図３】本発明に係る一実施形態を示す概略側面図である。
【図４】本発明に係る一実施形態を示す概略側面図である。
【図５】本発明に係る一実施形態を示す概略側面図である。
【図６】本発明に係る一実施形態を示す概略側面図である。
【図７】本発明に係る第二の実施形態を示す概略側面図である。
【図８】本発明に係る第三の実施形態を示す概略側面図である。
【図９】本発明に係る第四の実施形態を示す概略側面図である。
【符号の説明】
【００５１】
１            プリンタ
２            記録紙ローラ
２Ａ            記録紙
３            ガイドローラ
４            プラテンローラ
５            印字ヘッド
６            インクリボン
７            ヘッドアーム
８            ガイドローラアーム
８Ａ            軸受け部
９            連動部材
９Ａ            短片
９Ｂ            長片（ヘッドアーム係合部）
９Ｃ            軸受け部
１０            筐体
１１            ブラケット
１２            回転駆動軸
１３            従動軸
１４            付勢手段
１５            ロック手段
１６            バネ
１７            バネ留め部
１８            スライド部材
１８Ａ            バネ係合部
１８Ｂ            ストッパ係合部
１９            スライドレール
２０            軸
２１            フック
２２            ロック係合部
２３            重り
２４            ガイドローラアーム係合部
２５            連動部材係合部
２６            カバー
２７            筐体本体
２８            バネ留め部
２９            バネ
３０            軸
【図１】
2007210264.tif 000003
【図２】
2007210264.tif 000004
【図３】
2007210264.tif 000005
【図４】
2007210264.tif 000006
【図５】
2007210264.tif 000007
【図６】
2007210264.tif 000008
【図７】
2007210264.tif 000009
【図８】
2007210264.tif 000010
【図９】
2007210264.tif 000011